(57)【要約】【課題】一般的なクリップボードは長方形の台板の縁側の中央部に綴じ具を装着し、手に持って単葉か複数枚の用紙を綴じたあと上面から順次読み書きをし、終わったページを台板の裏側に回して指で押さえる使用方法が多いが、捲る枚数が多くなると用紙の反発力が大きくなり戻ろうとするため指で強く抑える必要がある、又綴じ具の周辺に用紙の反発力による大きな丸みができるため次ページの綴じ具周辺が読み書きしにくい課題があった。【解決手段】クリップボードの上辺の何方の片隅を斜めにカットし、その斜めにカットした線Ａに沿って綴じ具３ａを装着し、台板１に置いた複数枚の用紙の片隅を挟持して読み書きを終えたページから斜めカット線Ａの直角方向、台板１から見て斜め上に捲れば用紙の捲り巾Ｆが小さくなることで反発力を小さくでき、又次ページと重なる部分が少ないため可視面積が大きくなり読み書きがし易くなる。【選択図】図１
2019142046.tif 000002
【特許請求の範囲】
【請求項１】
長方形のクリップボード台板１の、上辺の片隅を斜めにカットした不等辺五角形状にして、その斜めのカット線Ａに沿った位置に、綴じ具の押え具５ａが台板の中心方向に向いた内向き綴じ具３ａを装着し、その綴じ具３ａに任意に束ねた用紙束２ａの片隅を挟持し、読み書きを終えたページから斜めのカット線Ａと直角方向の裏側に捲ることを特徴とした片綴じクリップボード。
【請求項２】
請求項１のクリップボード台板１の斜めのカット線Ａに沿った同じ位置に、押え具が台板の縁側に向いた外向き綴じ具３ｂを装着し捲り面Ｂを斜めのカット線Ａに近づけたことを特徴とした片綴じクリップボード。
【請求項３】
請求項１のクリップボード台板１の斜めのカット線Ａに沿った同じ位置に、片方を軸支し他方を掛止自在にした板バネ状の押え具５ｄを備え用紙束２ａの片隅を板バネの弓状の腹で押える綴じ具３ｄを装着した片綴じクリップボード。
【請求項４】
請求項１のクリップボード台板１の斜めのカット線Ａに沿った同じ位置に、押え具５ｃを反転させる軸８を備えた綴じ具３ｃを装着し、その押え具５ｃで用紙束のはみだし部４を挟持したあと指で反転させ、捲り面Ｂを外向きにすることを特徴とする片綴じクリップボード。
【発明の詳細な説明】
【技術分野】
【０００１】
本発明は書類用紙束を挟持するクリップボードに関する。
【背景技術】
【０００２】
従来からクリップボードとは、台板の縁側の中央に装着された綴じ具で用紙を挟持し、机上に置き又は片手で持って紙面の読み書きをする文具である、その種類は定型の用紙サイズに応じて数多くあり、綴じ具も用途に合わせたクリップ式やアーム式、さらには有穴用紙を綴じるリング式等が有る。
それらの綴じ具に単葉又は複数枚の紙片を挟持し、順次紙面を捲りながら読み書きをする、この場合の読み書きとは紙面に書かれている内容を読むことや文字等を記入する事である。
【０００３】
一般的なクリップボードに装着されている綴じ具は、図１１で示すように金属製台座の片側につる巻バネの支点があり、バネの反発力で押え具の先端部が紙片を挟持するが、通常は押え具のバネ支点の位置が台板の縁側になり押え具の先端は台板の内側に向かう格好で装着される、しかし図１２のように読み書き終えたページを台板の裏側へ捲った場合、綴じ具の周りに用紙巾Ｅの反発力による大きな膨らみが出来る、このため綴じ具周辺の紙面が隠れて紙面全体の内容が読み難くなることや、用紙の反力で戻ろうとするため裏側へ捲ったページと台板を手で強く挟んで押える必要があった。
【０００４】
これ等の問題に対する考案として下記の文献１が知られているが、その内容はノートブックの形式であり各ページの専用紙片の片隅に斜めに複数の綴じ穴を加工し、その各穴に金属製のリング状の綴じ具を通して各ページを斜めに捲り裏表紙の裏側へ廻すため、完全に見開き状態になり紙面の可視割合の障害も、紙片の反発力もなくなりノートブックとして書き込みするには便利である、しかしクリップボードの本来の使い方である、任意の複数の用紙をまとめてボードに綴じて各紙面を読み書きし、その後ボードから外して元の単葉に戻すような使い方とは基本的に異なる。
【先行技術文献】
【特許文献】
【０００５】
【特許文献１】実登３１８６２６０
【発明の概要】
【発明が解決しようとする課題】
【０００６】
図１１で示す一般的なクリップボードは台板の短辺か長辺の縁側の中央に綴じ具３を装着して、その綴じ具に必要に応じた任意の複数枚の用紙を束ねて挟持し、読み書きを終えたページを台板の裏側に捲りながら全てのページの記帳や内容の確認が終われば綴じ具より外して単葉に戻せる特徴がある、本発明はこの特徴を堅持し以下の課題を解決する、複数の用紙を綴じ具で挟持したあとに読み書きを終えたページを捲る場合、図１２のように綴じ具の押え具付近で用紙全巾にわたり紙片の反発力による膨らみが発生するが、そのまま台板の裏側へ廻すと用紙の反発力で戻ろうとするため、裏側へ捲った用紙を指で強く押える必要があった、又その膨らみが大きくなると紙面全体の可視面積が小さくなり、特に綴じ具周辺の文字が読み難くなる課題があった。
【課題を解決するための手段】
【０００７】
図１で示すように長方形のクリップボード台板１の上辺の片隅を斜めに切断した不等辺の五角形状にして、その斜めのカット線Ａに沿った位置に押え具が内向きとなる綴じ具３ａを装着し、その綴じ具３ａに複数枚の用紙を綴じ、読み書きが済んだページから斜めカット線Ａと直角方向の裏側に捲ることで、捲り巾Ｆを小さくでき用紙の反発力を弱くすることを特徴とした片綴じクリップボードである。
【０００８】
前項と同様に、斜めに装着した綴じ具の周辺で発生する紙片の反発力による膨らみを小さくするために、図３で示すように押え具が台板１の縁側に向いた外向き綴じ具３ｂを台板１の斜めカット線Ａに沿った位置に装着して、押え具５ｃから後ろへ捲る側の障害物を小さくしたことで紙片の膨らみを小さくする片綴じクリップボードである。
【０００９】
前項と同じ目的である次の形態を示す、クリップボード台板１の斜めのカット線Ａに沿った位置に、片方を軸支し他方を掛止自在にした板バネ状の押え具５ｄを備え、用紙束２ａの片隅を直接上から押える手段の綴じ具３ｄを装着した片綴じクリップボードである。
【００１０】
前々項の効果をさらに向上させる工夫を図７で示す、台板１の斜めのカット線Ａに沿った位置に、綴じ具本体の外枠７と押え具５ｃが反転軸８で回転する綴じ具３ｃを装着し、台板１に置いた用紙束２ａの片隅のはみだし部４を、外側に開いた押え具５ｃの内面と掴み板９との間で挟み、締め付けネジ１０で固定したあと、押え具５ｃを指で右回りに反転させて捲り面Ｂを外側に向けることで、ページを捲る側に用紙の膨らみが発生せず、次ペーシの可視面積も大きくなることを特徴とする片綴じクリップボードである。
【発明の効果】
【００１１】
クリップボードの上辺の片隅を斜めにカットした線Ａに沿って綴じ具を装着し、用紙束２ａを綴じて上面から捲ると必然的に用紙の捲り巾Ｆを小さくできるため、用紙の反発力を小さくでき裏側の用紙２ｂを強く押える必要がないことや、次ページとの重なり部分が少ないため用紙束２ａの可視面積を大きくでき、用紙全体の読み書きの利便性が良くなること、綴じ具から解放した用紙を単葉に戻して別使用できる効果がある。
【００１２】
縦長ボードの右上に綴じ具を装着し縦長用紙を綴じた場合、捲る方向は斜め右上となるが、同じボードの綴じ具を左上にした横長ボードとした場合も、複数の横長用紙の左上を綴じて左上に捲れるため、１種類のクリップボードで縦長用紙と横長用紙の２種類の活用方法が可能である。
【図面の簡単な説明】
【００１３】
【図１】第１実施形態の綴じ具３ａを装着したクリップボードの平面図
【図２】第１実施形態の綴じ具３ａで用紙を裏側に捲った場合の斜視図
【図３】第２実施形態の綴じ具３ｂを装着したクリップボードの平面図
【図４】第２実施形態の綴じ具３ｂで用紙を裏側に捲った場合の斜視図
【図５】変形例の綴じ具３ｄを装着したクリップボードの平面図
【図６】変形例の綴じ具３ｄの構造図
【図７】第３実施形態の綴じ具３ｃを装着したクリップボードの平面図
【図８】第３実施形態の綴じ具３ｃのＧ−Ｇ線の断面図
【図９】第３実施形態の綴じ具３ｃの押え具５ｃを反転させた断面図
【図１０】第３実施形態の綴じ具３ｃで用紙を裏側に捲った状態の斜視図
【図１１】従来の一般的なクリップボードの平面図
【図１２】従来の一般的なクリップボードの用紙を裏側に捲った場合の斜視図
【発明を実施するための形態】
【００１４】
本発明を実施するための基本的な形態は、クリップボード台板１の上辺の何方かの片隅を斜めに切り落として不等辺五角形とし、その斜めのカット線Ａに沿った近傍に綴じ具を装着し、複数枚の用紙を綴じて読み書きを終えたページから順次綴じ具と直角方向へ、言い換えれば台板１の斜め上に捲る形態である。
【００１５】
以下の実施形態は便宜上、全て台板１の斜めカット線の位置は台板の上辺右側とする、したがって用紙を捲る方向は右斜め上から裏側へ廻す格好で用紙の枚数は複数枚とする、又用語の説明として綴じ具とは用紙束を挟持する全体の部分を指し、押え具とは用紙表面を押える部分を言う。
【００１６】
〔第１実施形態〕
図１で示すクリップボード台板１は、上辺の右上の片隅を斜めのカット線Ａで切り落とした不等辺五角形状で、そのカット線Ａに沿って内向き綴じ具３ａを装着する、台板１に複数枚の用紙２ａを置いて右上を綴じ具３ａの押え具５ａで挟持し、読み書きを終えたページ２ｂは順次斜め右上に捲り台板１の裏側へ回して、持ち手の指でおさえる形態である。
この場合綴じ具よりはみ出る三角のはみだし部４は用紙２ｂを捲る前に指で台板１の裏側に折り込んでおく。
【００１７】
図２は読み書きを終えたページ２ｂを裏側に捲った状態を示す、一般的なクリップボード上の用紙を裏側に捲る場合の図１２と比べると、ページの捲り面Ｂは同じ内側を向くが綴じ具３ａが斜めに装着されているため用紙の捲り巾Ｆは実測比で約３割から４割程になるため用紙の反発力は小さくなる、又次ページの用紙２ａとの重なりも右上の片隅の一部であり次ページの可視面積も大きくなる。
【００１８】
綴じ具の装着位置は便宜上右上であるが、左上であっても同様の効果がある。
【００１９】
〔第２実施形態〕
第２の実施形態を図３で示す、この綴じ具は押え具５ｂを台板１の斜めのカット線Ａの縁側に向けた外向き綴じ具３ｂで、その両端は分割したバネハウスに支えられて右上隅に装着されている、この状態で台板１に複数枚の用紙２ａを置き綴じ具３ｂで綴じ、読み書きを終えたページから順次に台板１の裏側へ捲る形態は第１実施形態と同様である。
【００２０】
この実施形態の特徴として、図４に示すようにページの捲り面Ｄは内向きであるが、押え具５ｂの先端と斜めのカット線Ａの位置が接近しているため用紙２ｂを裏側に捲る場合に綴じ具後方の障害物も小さくなり用紙２ｂの膨らみＤを小さくでき、次ページの可視面積を大きくする効果がある。
【００２１】
〔変形例〕
押え具を斜めのカット線Ａに近づける目的では図５で示す実施形態もある、この方法は、斜めのカット線Ａに沿って装着された綴じ具３ｄの、片方が軸支された板バネ製の押え具５ｄで用紙束２ａの右上隅を押えて、押え具５ｄの他方の切り欠き部を固定装置６に掛ければ用紙束２ａは綴じ具３ｄに綴じられる、読み書きを終えたページを台板１の裏側へ斜めに捲ると、第２実施形態の図４とほぼ同様の状態になり、捲られた用紙束２ａの反発力は小さくなり、次ペーシの可視部分は大きくなる効果がある
【００２２】
綴じ具３ｄの構造を図６で説明する、押え具５ｄは１本の板バネ製で中央が下向きの弓状となり左側の穴が綴じ具３ｄの左側と回動可能に軸支している、その弓状の腹で用紙束２ａの右上隅を押えたあと板バネ製綴じ具５ｄの右側の切り欠き部を、綴じ具３ｄの右側の固定装置６に掛ければ用紙束２ａはバネの反発力で台板１に固定される構造である。
【００２３】
〔第３実施形態〕
図７で示す実施形態は、装着する綴じ具３ｃに外枠７と押え具５ｃが軸８で反転できるように接続している、その押え具５ｃの内面には台板１に置かれた用紙束２ａのはみだし部４を掴む掴み板９が軸支され２本の締め付けネジ１０ではみだし部４を掴む挟持部を構成している、この反転軸８は台板１の斜めのカット線Ａに沿った位置にあり、押え具５ｃをその同一線上で右回りに反転させる。
【００２４】
綴じ具３ｃの構成をＧ−Ｇ線の断面図８と図９で示す、図８の台板１に置いた用紙束２ａの右上隅を押え具５ｃの内面と掴み板９の間に差し込み、締め付けネジ１０で固定したあと、押え具５ｃを指で反転軸８の右回りに１８０度反転させ図９の状態にする、反転すると掴み板９は反転軸８の上側になり、同じく用紙のはみだし部４は逆方向になる、この状態で用紙束２ａを上面から読み書きし、済んだページから台板１の右上から裏側へ捲ると図９の状況となる、このとき綴じ具３ｃの捲り面Ｂは外側を向く状況である。
【００２５】
本実施形態の特徴を図１０で示す、台板１に置かれた用紙束２ａの上面を捲り、捲られた用紙２ｂは台板１の裏側へ回し手で掴んで保持されている、押え具５ｃが反転するため用紙束２ａのはみだし部４は逆方向になり用紙束２ａと用紙２ｂの内部に隠れはみだし部４以外は全て可視できる、又反転することにより押え具５ｃと掴み板９の用紙の折れ曲り面が垂直に同列となり用紙束２ａと裏側の用紙２ｂが、台板１を挟んで重なりが同じ位置に揃うため手で掴み易くなる。
【符号の説明】
【００２６】
１    クリップボード台板
２    台板上の用紙の想定位置
２ａ  台板に置かれた用紙束
２ｂ  捲られた用紙
３    一般的なクリップボードの綴じ具
３ａ  押え具が台板の中心に向く内向き綴じ具
３ｂ  押え具が台板の縁側に向く外向き綴じ具
３ｃ  押え具が反転する綴じ具
３ｄ  板バネ製押え具が直接用紙束を押える綴じ具
４    はみだし部
５ａ  内向き綴じ具の押え具
５ｂ  外向き綴じ具の押え具
５ｃ  反転する綴じ具の押え具
５ｄ  板バネ状の押え具
６    板バネの固定装置
７    反転する綴じ具の外枠
８    反転する綴じ具の反転軸
９    反転する綴じ具の掴み板
１０    反転する綴じ具の締め付けネジ
Ａ    斜めのカット線
Ｂ    捲り面
Ｄ    用紙の膨らみ
Ｅ    用紙の巾
Ｆ    用紙の捲り巾
Ｇ    断面線の記号
【図１】
2019142046.tif 000003
【図２】
2019142046.tif 000004
【図３】
2019142046.tif 000005
【図４】
2019142046.tif 000006
【図５】
2019142046.tif 000007
【図６】
2019142046.tif 000008
【図７】
2019142046.tif 000009
【図８】
2019142046.tif 000010
【図９】
2019142046.tif 000011
【図１０】
2019142046.tif 000012
【図１１】
2019142046.tif 000013
【図１２】
2019142046.tif 000014